(57)【要約】【課題】再生装置に付属した編集プログラム以外のアプリケーションプログラムを実行したとき、コンピュータから再生装置に内蔵するハードディスクにアクセスできないようにし、ハードディスクに記録されたコンテンツデータが編集されることを防ぐことを目的とする。【解決手段】コンピュータと接続する接続部と、コンテンツデータを記録する記録部と、予め定められた時間をカウントするタイマ部と、接続部にコンピュータが接続された後、コンピュータとのデータ通信を開始する制御をし、タイマ部がカウントアップすると、データ通信を停止する制御をする制御部と、記録部から編集プログラム確認ファイルを検出する検出部とを備え、検出部により編集プログラム確認ファイルが検出されると、制御部はコンピュータとのデータ通信を再開する制御をする。【選択図】  図１
2008117104.tif 000002
【特許請求の範囲】
【請求項１】
コンピュータと接続可能なコンテンツデータを再生する再生装置において、
前記コンピュータと接続する接続部と、
コンテンツデータを記録する記録部と、
予め定められた時間をカウントするタイマ部と、
前記接続部に前記コンピュータが接続された後、前記コンピュータとのデータ通信を開始する制御をし、前記タイマ部がカウントアップすると前記コンピュータとのデータ通信を停止する制御をする制御部と、
前記タイマ部がカウントアップするまでの間に前記コンピュータにインストールされたコンテンツデータを編集する専用アプリケーションプログラムにより作成された編集プログラム確認ファイルを前記記録部から検出する検出部とを備え、
前記制御部により前記コンピュータとのデータ通信が停止された後、前記検出部により前記編集プログラム確認ファイルが検出されると、前記制御部は、前記コンピュータとのデータ通信を再開する制御をすることを特徴とする再生装置。
【請求項２】
請求項１に記載の再生装置において、
前記編集プログラム確認ファイルは、前記コンピュータとのデータ通信が再開されると、前記記録部から削除されることを特徴とする再生装置。
【請求項３】
コンピュータと当該コンピュータに接続可能なコンテンツデータを再生する再生装置とからなるコンテンツ再生システムにおいて、
前記コンピュータは、前記再生装置に記録されたコンテンツデータを編集する専用アプリケーションプログラムを備え、
前記再生装置は、
前記コンピュータと接続する接続部と、コンテンツデータを記録する記録部と、
予め定められた時間をカウントするタイマ部と、
前記接続部に前記コンピュータが接続された後、前記コンピュータとのデータ通信を開始する制御をし、前記タイマ部がカウントアップすると前記コンピュータとのデータ通信を停止する制御をする制御部と、
前記タイマ部がカウントアップするまでの間に前記専用アプリケーションプログラムにより作成された編集プログラム確認ファイルを前記記録部から検出する検出部とを備え、
前記制御部により前記コンピュータとのデータ通信が停止された後、前記検出部が前記編集プログラム確認ファイルを検出すると、前記制御部は、前記コンピュータとのデータ通信を再開する制御をすることを特徴とするコンテンツ再生システム。
【請求項４】
請求項３に記載のコンテンツ再生システムにおいて、
前記編集プログラム確認ファイルは、前記コンピュータとのデータ通信が再開されると、前記記録部から削除されることを特徴とするコンテンツ再生システム。
【請求項５】
コンピュータから再生装置に備えられた記録媒体に記録されたコンテンツデータを編集するアプリケーションプログラムにおいて、
コンピュータに対して、
前記再生装置とのデータ通信を開始するステップと、
前記再生装置とのデータ通信を開始した後、当該編集プログラム確認ファイルを前記再生装置に備えられた記録媒体に記録するステップと、
前記再生装置が前記コンピュータとのデータ通信を停止すると、前記再生装置とのデータ通信を停止するステップと、
前記再生装置が前記コンピュータとのデータ通信を再開したことを確認すると、前記再生装置とのデータ通信を開始するステップと、
前記再生装置に備えられた記録媒体に記録されたコンテンツデータを編集する操作を受付けるステップとを実行させることを特徴とするアプリケーションプログラム。
【発明の詳細な説明】
【技術分野】
【０００１】
本発明は、コンピュータと接続可能なコンテンツデータを再生する再生装置、コンテンツ再生システムおよびアプリケーションプログラムに関する。
【背景技術】
【０００２】
記録媒体としてハードディスクを内蔵し、このハードディスクに記録されたビデオデータやオーディオデータのコンテンツデータを再生する再生装置がある。ハードディスクを内蔵した再生装置は、コンピュータと接続するためのＵＳＢ（Universal Serial Bus）インターフェースを備えている。ＵＳＢインターフェースはコンピュータに周辺機器を接続するためのインターフェースであり、コンピュータはＵＳＢインターフェースにより接続された周辺機器を制御することができる。特許文献１には、ＵＳＢインターフェースにより接続されたコンピュータから内蔵するハードディスクへ直接アクセス可能な再生装置が開示されている。
【０００３】
特許文献１に開示されているような再生装置では、ＵＳＢインターフェースにより接続されたコンピュータからハードディスクに記録されたコンテンツデータを編集する操作が可能となる。例えば、コンピュータにおいて、再生装置に付属したコンテンツデータを編集するための専用アプリケーションプログラム（以下、編集プログラムという）を実行することにより、コンピュータから再生装置へコンテンツデータの転送やハードディスクに記録されたコンテンツデータの編集などの操作を容易に行うことが可能となる。
【０００４】
また、従来の再生装置には、タイトル名やアルバム名などからハードディスクに記録されたコンテンツデータの中から、所望のコンテンツデータを検索する機能がある。この再生装置では、タイトル名やアルバム名をコンテンツデータごとに確認すると検索時間が長くなるため、検索時間を短くするために、ハードディスクに記録されたコンテンツデータのタイトル名やアルバム名などを登録したインデックスファイルを作成し、このインデックスファイルを用いてコンテンツデータを検索する（例えば、特許文献２参照）。
【０００５】
コンピュータから編集プログラムを用いてハードディスクからコンテンツデータを削除する操作がされると、従来の再生装置は、当該コンテンツデータをハードディスクから削除するとともに、削除されたコンテンツデータのタイトル名やアルバム名などをインデックスファイルから削除する。
【０００６】
【特許文献１】特開２００６−２０１９６８号公報
【特許文献２】特開２００１−１２８０９３号公報
【発明の開示】
【発明が解決しようとする課題】
【０００７】
しかしながら、コンピュータから編集プログラム以外のアプリケーションプログラムにより、ハードディスクからコンテンツデータを削除されると、従来の再生装置は、編集プログラムによる編集でないため、削除されたコンテンツデータのタイトル名やアルバム名などがインデックスファイルから削除されない。このため、インデックスファイルを用いて検索されたコンテンツデータが、編集プログラム以外のアプリケーションプログラムにより削除されていた場合、検索されたコンテンツデータがハードディスクに記録されていないので、当該コンテンツデータの再生動作が途中で停止するなどの不安定な動作が従来の再生装置に発生する。
【０００８】
また、コンピュータから編集プログラム以外のアプリケーションプログラムを用いてインデックスファイルが削除されてしまった場合、コンテンツデータの検索ができなくなる問題や、インデックスファイルを作成する処理に移行し起動するまでに時間がかかるなどの問題が従来の再生装置に発生する虞がある。
【０００９】
本発明は、上記の課題を解決するためになされたものであり、コンピュータと接続したとき、再生装置に付属した専用アプリケーションプログラム以外のアプリケーションプログラムを用いて、コンピュータから再生装置に内蔵するハードディスクにアクセスできないようにし、ハードディスクに記録されたコンテンツデータが編集されることを防ぐことができる再生装置、コンテンツ再生システムおよびアプリケーションプログラムを提供することを特徴とする。
【課題を解決するための手段】
【００１０】
上記の課題を解決するために、本願の発明は、コンピュータと接続可能なコンテンツデータを再生する再生装置において、前記コンピュータと接続する接続部と、コンテンツデータを記録する記録部と、予め定められた時間をカウントするタイマ部と、前記接続部に前記コンピュータが接続された後、前記コンピュータとのデータ通信を開始する制御をし、前記タイマ部がカウントアップすると、前記コンピュータとのデータ通信を停止する制御をする制御部と、前記タイマ部がカウントアップするまでの間に前記コンピュータにインストールされたコンテンツデータを編集する専用アプリケーションプログラムにより作成された編集プログラム確認ファイルを前記記録部から検出する検出部とを備え、前記制御部により前記コンピュータとのデータ通信が停止された後、前記検出部により前記編集プログラム確認ファイルが検出されると、前記制御部は、前記コンピュータとのデータ通信を再開する制御をすることを特徴とする。
【００１１】
また、上記の再生装置において、前記編集プログラム確認ファイルは、前記コンピュータとのデータ通信が再開されると、前記記録部から削除される。
【００１２】
また、本願の発明は、コンピュータと当該コンピュータに接続可能なコンテンツデータを再生する再生装置とからなるコンテンツ再生システムにおいて、前記コンピュータは、前記再生装置に記録されたコンテンツデータを編集する専用アプリケーションプログラムを備え、前記再生装置は、前記コンピュータと接続する接続部と、コンテンツデータを記録する記録部と、予め定められた時間をカウントするタイマ部と、前記接続部に前記コンピュータが接続された後、前記コンピュータとのデータ通信を開始する制御をし、前記タイマ部がカウントアップすると前記コンピュータとのデータ通信を停止する制御をする制御部と、前記タイマ部がカウントアップするまでの間に前記専用アプリケーションプログラムにより作成された編集プログラム確認ファイルを前記記録部から検出する検出部とを備え、前記制御部により前記コンピュータとのデータ通信が停止された後、前記検出部が前記編集プログラム確認ファイルを検出すると、前記制御部は、前記コンピュータとのデータ通信を再開する制御をすることを特徴とする。
【００１３】
また、上記のコンテンツ再生システムにおいて、前記編集プログラム確認ファイルは、前記コンピュータとのデータ通信が再開されると、前記記録部から削除される。
【００１４】
また、本願の発明は、コンピュータから再生装置に備えられた記録媒体に記録されたコンテンツデータを編集するアプリケーションプログラムにおいて、コンピュータに対して、前記再生装置とのデータ通信を開始するステップと、前記再生装置とのデータ通信を開始した後、当該編集プログラム確認ファイルを前記再生装置に備えられた記録媒体に記録するステップと、前記再生装置が前記コンピュータとのデータ通信を停止すると、前記再生装置とのデータ通信を停止するステップと、前記再生装置が前記コンピュータとのデータ通信を再開したことを確認すると、前記再生装置とのデータ通信を開始するステップと、前記再生装置に備えられた記録媒体に記録されたコンテンツデータを編集する操作を受付けるステップとを実行させることを特徴とする。
【発明の効果】
【００１５】
本発明によれば、コンピュータと接続したとき、再生装置に付属した専用アプリケーションプログラム以外のアプリケーションプログラムを用いて、コンピュータから再生装置に内蔵するハードディスクにアクセスできないようにし、ハードディスクに記録されたコンテンツデータが編集されることを防ぐことができる再生装置、コンテンツ再生システムおよびアプリケーションプログラムを提供することができる。
【発明を実施するための最良の形態】
【００１６】
以下、本発明の実施の形態について図面を参照して説明する。
図１は、本発明の再生装置およびコンテンツ再生システムの構成を示すブロック図である。本実施例の再生装置１は、図１に示すように、接続部１０と、記録再生部１１と、ＤＳＰ（Digital Signal Prosser）１２と、ＤＡＣ（Digital to Analog Converter）１３と、ＲＡＭ（Random Access Memory）１４と、増幅部１５と、出力部１６と、制御部１７と、タイマ部１８と、検出部１９と、操作部２０とを備える。本実施例の説明では、コンテンツデータをオーディオデータとして説明する。勿論、コンテンツデータは、ビデオデータを含んでもよい。
【００１７】
また、図１に示すように、本実施例のコンテンツ再生システムは再生装置１およびコンピュータ２からなり、再生装置１とコンピュータ２はＵＳＢケーブル３により接続されている。コンピュータ２には、圧縮されたデジタルオーディオデータが記憶され、編集プログラムを実行することにより、このデジタルオーディオデータをＵＳＢケーブル３により接続された再生装置１に転送することができる。
【００１８】
接続部１０はＵＳＢインターフェースであり、ＵＳＢ端子を備える。インターフェースはＵＳＢに限らず、ＩＥＥＥ（Institute of Electrical and Electronic Engineers）１３９４等であってもよい。コンピュータ２から転送されたデジタルオーディオデータは接続部１０を介して記録再生部１１に入力される。記録再生部１１は、ハードディスクを備え、コンピュータ２から転送されたオーディオデータを記録する。また、記録再生部１１は、ハードディスクに記録されたオーディオデータを再生する。記録再生部１１はハードディスクに限らず、半導体メモリ等を備えてもよい。
【００１９】
ＤＳＰ１２は、記録再生部１１によりハードディスクから再生されたオーディオデータにデコード処理等の信号処理を施す。信号処理されたオーディオデータは、ＲＡＭ１３に記憶される。ＲＡＭ１３に記憶されたオーディオデータは、ＤＳＰ１２により読み出されＤＡＣ１４に入力される。ＤＡＣ１４は、ＤＳＰ１２から入力されたオーディオデータをアナログオーディオ信号に変換する。増幅部１５は、ＤＡＣ１４により変換されたアナログオーディオ信号を増幅する。出力部１６は、出力端子を備え、この出力端子からアナログオーディオ信号を出力する。
【００２０】
制御部１７は、再生装置１を統括的に制御するとともに、ＵＳＢケーブル３により接続されたコンピュータ２と制御データ等を送受信する制御する。タイマ部１８は、制御部１７の制御により、予め定められた時間をカウントする。検出部１９は、記録再生部１１に備えられたハードディスクから後述する編集プログラム確認ファイルを検出する。操作部２０は、記録再生部１１に記録されたオーディオデータの再生に関する操作ボタンやコンピュータ２と接続を開始する接続モードにする設定ボタン等を備える。再生装置１が接続モードに設定されると、コンピュータ２との接続が許可され、再生装置１とコンピュータ２の間において、データ通信が可能な状態となる。
【００２１】
本実施例のコンテンツ再生システムにおいて、再生装置１が接続モードに設定されていないとき、操作部２０からオーディオデータを再生する指示があると、記録再生部１１によりハードディスクからオーディオデータが再生される。再生されたオーディオデータは、ＤＳＰ１２により信号処理された後、ＲＡＭ１３に記憶される。ＲＡＭ１３に所定のデータ量のオーディオデータが記憶されると、ＲＡＭ１３に記憶されたオーディオデータは、ＤＳＰ１２により読み出され、ＤＡＣ１４によりアナログ信号に変換された後、増幅部１５を介して出力部１６から出力される。
【００２２】
コンピュータ２は、汎用のコンピュータであり、再生装置１に記録されたコンテンツデータを編集するための専用の編集プログラムがインストールされている。再生装置１が接続モードに設定されているとき、ユーザは、編集プログラムを実行することにより、再生装置１に記録されたコンテンツデータのタイトル名やアルバム名等の楽曲情報を変更する編集、プレイリストの内容を変更する編集、再生装置１にコンテンツデータの転送など操作をコンピュータ２から容易に行うことができる。
【００２３】
編集プログラムは、コンピュータ２において実行されると、コンピュータ２と接続された再生装置１に備えられた記録再生部１１のハードディスクに編集プログラム確認ファイルを作成し記録する。この編集プログラム確認ファイルは、例えばファイル名が「ＴＥＭＰ．ＤＡＴ」であり、データが格納されていないファイル、または、コンピュータ２のモデル名が例えばＡＳＣＩＩ（American Standard Code for Information Interchange）コードで格納されたファイルである。この編集プログラム確認ファイルは、後述するように、コンピュータ２から再生装置１にアクセスしたアプリケーションプログラムが編集プログラムであることを再生装置１に確認させるものとして機能する。
【００２４】
次に、本実施例のコンテンツ再生システムにおいて、コンピュータ２から再生装置１に記録されたコンテンツデータを編集する際の再生装置１およびコンピュータ２の動作を説明する。図２は、コンピュータ２から再生装置１に記録されたコンテンツデータの編集を開始するときのコンピュータ２にインストールされた編集プログラムの動作を説明するフローチャートである。
【００２５】
ユーザは、再生装置１とコンピュータ２をＵＳＢケーブル３により接続した後、コンピュータ２を操作して編集プログラムを実行させる（ステップＳ１）。コンピュータ２において編集プログラムは、再生装置１が接続モードに設定されていることを確認すると（ステップＳ２）、再生装置１に備えられた記録再生部１１のハードディスクに編集プログラム確認ファイルを記録する処理をする（ステップＳ３）。
【００２６】
ハードディスクに編集プログラム確認ファイルを記録した後、再生装置１がコンピュータ２とのデータ通信を停止すると、編集プログラムは再生装置１とのデータ通信を一旦停止する処理をする（ステップＳ４）。そして、再生装置１がコンピュータ２とのデータ通信を再開したことを確認すると（ステップＳ５）、編集プログラムは、再生装置１とのデータ通信を再開し、コンテンツデータの編集操作の受付等の通常の処理を開始する（ステップＳ６）。
【００２７】
図３は、コンピュータ２から再生装置１に記録されたコンテンツデータの編集を開始するときの再生装置１の動作を説明するフローチャートである。
【００２８】
ユーザは、図２に示すステップＳ１において編集プログラムを実行した後、操作部２０から再生装置１を接続モードに設定する操作をする（ステップＳ１１）。再生装置１は、接続モードに設定されると、制御部１７の制御によりコンピュータ２とのデータ通信を開始する。コンピュータ２とのデータ通信を開始すると、制御部１７は、タイマ部１８に予め定められた時間のカウントを開始させる制御をする（ステップＳ１２）。タイマ部１８がカウントする予め定められた時間は、図２に示すステップＳ３において編集プログラムにより編集プログラム確認ファイルが記録再生部１１のハードディスクに記録されるまでに要する時間である。本実施例では、予め定められた時間を１０秒とするが、これに限定されない。
【００２９】
タイマ部１８が予め定められた時間をカウントアップ、すなわち、タイマ部１８が１０秒をカウントアップすると（ステップＳ１３）、制御部１７は、コンピュータ２とのデータ通信を停止する制御をする（ステップＳ１４）。コンピュータ２とのデータ通信が停止すると、検出部１９は、制御部１７の制御により、記録再生部１１のハードディスクから編集プログラム確認ファイルの検出を開始する（ステップＳ１５）。この編集プログラム確認ファイルは、タイマ部１８が１０秒をカウントしている間に、図２に示すステップＳ３において編集プログラムにより作成され記録再生部１１のハードディスクに記録される。
【００３０】
検出部１９がハードディスクから編集プログラム確認ファイルを検出する場合、制御部１７は、コンピュータ２とのデータ通信を再開する制御をする（ステップＳ１６）。そして、制御部１７は、検出部１９が検出した編集プログラム確認ファイルをハードディスクから削除する制御をする（ステップＳ１７）。一方、検出部１９がハードディスクから編集プログラム確認ファイルを検出できない場合、制御部１７は、設定された接続モードを終了する制御をする。
【００３１】
図３に示すステップＳ１５において、検出部１９がハードディスクから編集プログラム確認ファイルを検出すると、コンピュータ２とのデータ送受信が再開される。コンピュータ２とのデータ送受信が再開されると、ユーザからの操作指示がない限り、データ送受信が可能な状態が継続するため、ユーザは、コンピュータ２から編集プログラムを用いて記録再生部１１に記録されたコンテンツデータを編集する操作をすることができる。
【００３２】
コンピュータ２から編集プログラム以外のアプリケーションプログラムを用いて再生装置１にアクセスした場合、タイマ部１８がカウントアップするまでの間に、上述した編集プログラム確認ファイルは記録再生部１１に記録されない。このため、ステップＳ１５において、検出部１９は記録再生部１１のハードディスクから編集プログラム確認ファイルを検出することができない。
【００３３】
検出部１９が編集プログラム確認ファイルを検出できなければ、制御部１７が設定された接続モードを終了するため、コンピュータ２は、ステップＳ１４において再生装置１とコンピュータ２のデータ通信が停止された時点から、再生装置１へアクセスすることができなくなる。このとき、制御部１７は、編集プログラム以外のアプリケーションプログラムによりアクセスされた旨の表示をコンピュータ２にさせることにより、ユーザにこのアプリケーションプログラムを終了させ編集プログラムの実行させるようにする。
【００３４】
したがって、本実施例のコンテンツ再生システムにおいて、再生装置１は、編集プログラム以外のアプリケーションプログラムにより記録再生部１１に記録されたコンテンツデータが編集されることを防ぐことができる。
【００３５】
以上説明したように、本実施例では、コンピュータ２から再生装置１に記録されたコンテンツデータの編集をするとき、コンピュータ２から専用の編集プログラムにより作成された編集プログラム確認ファイルを検出部１９が検出したときのみ、コンピュータ２からコンテンツデータの編集操作を受付ける。この構成によれば、コンピュータ２から編集プログラム以外のアプリケーションプログラムにより、再生装置１の記録再生部１１に記録されたコンテンツデータの編集を防ぐことが可能となる。
【図面の簡単な説明】
【００３６】
【図１】本発明の再生装置およびコンテンツ再生システムの構成を示すブロック図。
【図２】コンピュータ２にインストールされた編集プログラムの動作を説明するフローチャート。
【図３】コンテンツデータの編集を開始するときの再生装置１の動作を説明するフローチャート。
【符号の説明】
【００３７】
１…再生装置、２…コンピュータ、３…ＵＳＢケーブル、１０…接続部、１１…記録再生部、１２…ＤＳＰ、１３…ＲＡＭ、１４…ＤＡＣ、１５…増幅部、１６…出力部、１７…制御部、１８…タイマ部、１９…検出部、２０…操作部
【図１】
2008117104.tif 000003
【図２】
2008117104.tif 000004
【図３】
2008117104.tif 000005